(57)【要約】【課題】  アシスト機構を設けることにより、余計な操作を必要とせず、大型化した引き出しユニットを快適に脱着する手段を提供する。【解決手段】  引き出しユニット５００に設けたリンクレバー５０７は支点５０７ａを中心に回転し、操作レバー支軸５０３側の部位が操作レバー支軸５０３を手前方向へスライドさせ、反対側の部位が回動し、ピン５０７ｄで回動可能に取り付けたスライドレバー５０８が後側板５０５よりも装置本体の後側板側へ突出し、後側板に当接すると、その反作用により、引き出しユニット５００が手前に引き出されるリンク５０７の支点５０７ａからのアーム比を、力点側：作用点側＝２：１とすれば引き出しユニット５００を引き抜く際の引き抜き摺動抵抗の１／２に低減できる。【選択図】        図５
2005091569.tif 000002
【特許請求の範囲】
【請求項１】
スライドレールによって装置本体に対し前後方向にスライド自在に動作可能な引き出しユニットにおいて、前記スライド動作を行うための操作レバーの支軸を、前側板及び後側板を貫通させて設けてなることを特徴とする引き出しユニット。
【請求項２】
請求項１の引き出しユニットにおいて、前記操作レバーの支軸が前記装置本体の前後方向にスライド可能な動作幅を有することを特徴とする引き出しユニット。
【請求項３】
請求項１または２の引出しユニットにおいて、前記操作レバーの支軸のスライド動作に連動して動作するリンク機構を備えることを特徴とする引き出しユニット。
【請求項４】
請求項３の引き出しユニットにおいて、前記リンク機構のリンクの作用点が装置本体の筐体または該筐体をなす部品の一部に設けてあることを特徴とする引き出しユニット。
【請求項５】
請求項３の引き出しユニットにおいて、前記リンク機構のリンクのアーム比を、前記操作レバーの支軸側を長く設定してなることを特徴とする引き出しユニット。
【請求項６】
スライドレールによって装置本体に対し前後方向にスライド自在に動作可能な引き出しユニットにおいて、前記スライド動作を行うための操作レバーの支軸を、前側板及び後側板を貫通させかつ前記装置本体の前後方向にスライド動作可能に設けるとともに、前記支軸のスライド動作に連動して動作するリンク機構を備え、該リンク機構が、前記支軸のスライド動作によって回動するレバーを含み、該レバーの途中部位を支点として回動可能に支持するとともに、該レバーの一端を前記支軸に連係させ、他端を前記装置本体の筐体または該筐体をなす部品の一部に当接可能に設けてなることを特徴とする引き出しユニット。
【請求項７】
請求項６の引き出しユニットにおいて、前記レバーの前記支点よりも前記他端側に、前記後側板を貫通して外部へ出て前記装置本体の筐体または該筐体をなす部品の一部に当接可能な当接部材を有することを特徴とする引き出しユニット。
【請求項８】
請求項７の引き出しユニットにおいて、前記リンク機構のリンクのアーム比を、前記操作レバーの支軸側を長く設定してなることを特徴とする引き出しユニット。
【請求項９】
請求項１ないし８のいずれかの引き出しユニットを備えることを特徴とする画像形成装置。
【発明の詳細な説明】
【技術分野】
【０００１】
本発明は、複写機、プリンタ、ファクシミリ等の画像形成装置とこれに用いるスライド自在な引き出しユニット関する。
【背景技術】
【０００２】
複写機等の画像形成装置においては、転写紙搬送経路で発生した紙詰まりにおいて、残紙を除去する際の操作性を向上するための手段として、転写紙搬送に関連するユニットをスライド機構を設けて手前に引出し、視認性とアクセス性を良くする方法がある。そのような機構には、装置本体からユニットを完全に抜き出し、その状態から再装着ができるものや、途中までの引き出しと、そこからの再装着ができるもの等々があるが、いずれにしても装置本体からユニットを引き出したり、装着したりするユニットの脱着操作は、ユーザやサービスマンが操作レバーを使って手動で行っている。
【発明の開示】
【発明が解決しようとする課題】
【０００３】
しかしながら、操作性を向上させようとするあまり、複数のユニットを引き出す構成とし、それらのユニットを支持する引き出しユニットが大型化してくると、それに伴って引き出しユニットの重量も増大することになる。その場合、引き出しユニットを脱着する操作力も増加する不具合が発生する。特に引き出しユニットと本体の位置決め部品が嵌合する際の摺動抵抗は重量の増加に比例して大きくなるため、その分だけ引き出しユニット操作時に大きな力を必要とすることになり、快適性が損なわれる原因となる。
【０００４】
本発明は、引き出し操作レバーを操作することにより動作するアシスト機構を設けることにより、余計な操作を必要とせず、大型化した引き出しユニットを快適に脱着する手段を提供することを目的とする。
【課題を解決するための手段】
【０００５】
本発明の請求項１に係る引き出しユニットは、スライドレールによって装置本体に対し前後方向にスライド自在に動作可能な引き出しユニットにおいて、前記スライド動作を行うための操作レバーの支軸を、引き出しユニット前後側板を貫通させて設けてなることを特徴とする。
【０００６】
同請求項２に係るものは、請求項１の引き出しユニットにおいて、前記操作レバーの支軸が前記装置本体の前後方向にスライド可能な動作幅を有することを特徴とする。
【０００７】
同請求項３に係るものは、請求項１または２の引出しユニットにおいて、前記操作レバーの支軸のスライド動作に連動して動作するリンク機構を備えることを特徴とする。
【０００８】
同請求項４に係るものは、請求項３の引き出しユニットにおいて、前記リンク機構のリンクの作用点が装置本体の筐体または該筐体をなす部品の一部に設けてあることを特徴とする。
【０００９】
同請求項５に係るものは、請求項３の引き出しユニットにおいて、前記リンク機構のリンクのアーム比を、前記操作レバーの支軸側を長く設定してなることを特徴とする。
【００１０】
同請求項６に係るものは、スライドレールによって装置本体に対し前後方向にスライド自在に動作可能な引き出しユニットにおいて、前記スライド動作を行うための操作レバーの支軸を、前側板及び後側板を貫通させかつ前記装置本体の前後方向にスライド動作可能に設けるとともに、前記支軸のスライド動作に連動して動作するリンク機構を備え、該リンク機構が、前記支軸のスライド動作によって回動するレバーを含み、該レバーの途中部位を支点として回動可能に支持するとともに、該レバーの一端を前記支軸に連係させ、他端を前記装置本体の筐体または該筐体をなす部品の一部に当接可能に設けてなることを特徴とする。
【００１１】
同請求項７に係るものは、請求項６の引き出しユニットにおいて、前記レバーの前記支点よりも前記他端側に、前記後側板を貫通して外部へ出て前記装置本体の筐体または該筐体をなす部品の一部に当接可能な当接部材を有することを特徴とする。
【００１２】
同請求項８に係るものは、請求項７の引き出しユニットにおいて、前記リンク機構のリンクのアーム比を、前記操作レバーの支軸側を長く設定してなることを特徴とする。
【００１３】
同請求項９に係る画像形成装置は、請求項１ないし５のいずれかの引き出しユニットを備えることを特徴とする。
【発明の効果】
【００１４】
本発明は、余計な操作を必要とせず、大型化した引き出しユニットを快適に脱着できる。
【発明を実施するための最良の形態】
【００１５】
以下本発明を実施するための最良の形態を、図に示す実施例を参照して説明する。
【実施例１】
【００１６】
図１は、本発明の実施対象となるタンデム型間接転写方式の複写装置の概略断面図である。図中１００は複写装置本体、２００は給紙テーブル、３００はスキャナ、４００は原稿自動搬送装置（ＡＤＦ）である。複写装置本体１００を給紙テーブル２００上に載せ、複写装置本体１００上にスキャナ３００を取り付け、さらにその上にＡＤＦ４００を取り付けてある。
【００１７】
複写装置本体１００には、中央に無端ベルト状の中間転写体１０を設けて３つの支持ローラ１４、１５、１６に掛け回し、図中時計回りに回転搬送可能としてある。なおこの例では、３つの支持ローラのうちの第２の支持ローラ１５の左に、画像転写後に中間転写体１０上に残留する残留トナーを除去する中間転写体クリーニング装置１７が設けてある。
【００１８】
また、３つの支持ローラのうちの第１の支持ローラ１４と第２の支持ローラ１５の間に、中間転写体１０上に位置するように、中間転写体１０の搬送方向に沿ってイエロー、シアン、マゼンタ、ブラックの４つの画像形成手段１８を横に並べて配置してタンデム作像装置２０を構成してある。このタンデム作像装置２０の上方には、図示のように露光装置２１が設けてある。
【００１９】
一方、中間転写体１０を挟んでタンデム作像装置２０の反対側には、２次転写装置２２を備えている。２次転写装置２２は、図示の例では、２つのローラ２３間に無端ベルトである２次転写ベルト２４を掛け渡して構成してあり、中間転写体１０を介して第３の支持ローラ１６に２次転写ベルト２４を押し当てるように配置し、中間転写体１０上の画像を転写材であるシートに転写するようになっている。
【００２０】
２次転写装置２２の横には、シート上の転写画像を定着する定着装置２５が設けてある。定着装置２５は、無端ベルトである定着ベルト２６に加圧ローラ２７を押し当てて構成してある。上述した２次転写装置２２は、画像転写後のシートをこの定着装置２５へと搬送するシート搬送機能を備えている。もちろん、２次転写装置２２として、転写ローラや非接触のチャージャを配置してもよいが、そのような場合は、このシート搬送機能を併せて備えることは難しくなる。
【００２１】
なお図示の例では、このような２次転写装置２２及び定着装置２５の下側に、上述したタンデム作像装置２０と平行にして、シートの両面に画像を記録するためにシートを反転させるシート反転装置２８を備えている。
【００２２】
このカラー電子写真装置を用いてコピーをとる際の動作を説明する。原稿自動搬送装置４００の原稿台３０上に原稿をセットするか、または原稿自動搬送装置４００を開いてスキャナ３００のコンタクトガラス３２上に原稿をセットし、原稿自動搬送装置４００を閉じてそれで押さえる。
【００２３】
そして、図示していないスタートスイッチを押すと、原稿自動搬送装置４００に原稿をセットしたときは、原稿を搬送してコンタクトガラス３２上へと移動させた後、他方コンタクトガラス３２上に原稿をセットしたときは、直ちにスキャナ３００を駆動し、第１走行体３３及び第２走行体３４を走行させる。そして、第１走行体３３で光源から光を発射するとともに原稿面からの反射光をさらに反射して第２走行体３４に向け、第２走行体３４のミラーで反射して結像レンズ３５を通して読み取りセンサ３６に入れ、原稿内容を読み取る。
【００２４】
また、図示していないスタートスイッチを押すと、これも図示していない駆動モータで支持ローラ１４、１５、１６の１つを回転駆動して他の２つの支持ローラを従動回転させ、中間転写体１０を回転搬送する。同時に、個々の画像形成手段１８で感光体４０を回転させ、各感光体４０上にそれぞれブラック、イエロー、マゼンタ、シアンの単色画像を形成する。そして、中間転写体１０の搬送とともに、それらの単色画像を順次転写して中間転写体１０上に合成カラー画像を形成する。
【００２５】
一方、図示していないスタートスイッチを押すと、給紙テーブル２００の給紙ローラ４２の１つが選択されて回転し、ペーパーバンク４３に多段に備える給紙カセット４４の１つからシートを繰り出し、分離ローラ４５で１枚ずつ分離して給紙路４６に入れ、搬送ローラ４７で搬送して複写機本体１００内の給紙路４８に導き、レジストローラ４９に突き当てて止める。手差しトレイ５１から給紙するときは、給紙ローラ５０を回転して手差しトレイ５１上のシートを繰り出し、分離ローラ５２で１枚ずつ分離して手差し給紙路５３に入れ、同じくレジストローラ４９に突き当てて止める。
【００２６】
そして、中間転写体１０上の合成カラー画像にタイミングを合わせてレジストローラ４９を回転させ、中間転写体１０と２次転写装置２２との間にシートを送り込み、２次転写装置２２で転写してシート上にカラー画像を記録する。
【００２７】
画像転写後のシートは、２次転写装置２２で搬送して定着装置２５へと送り込み、定着装置２５で熱と圧力とを加えて転写画像を定着させた後、切換爪５５で切り換えて排出ローラ５６で排出し、排紙トレイ５７上にスタックする。または、切換爪５５で切り換えてシート反転装置２８に入れ、そこで反転させて再び転写位置へと導き、裏面にも画像を記録した後、排出ローラ５６で排紙トレイ５７上に排出する。
【００２８】
一方、画像転写後の中間転写体１０は、中間転写体クリーニング装置１７で、画像転写後に中間転写体１０上に残留する残留トナーを除去し、タンデム作像装置２０による再度の画像形成に備える。ここで、レジストローラ４９は一般的には接地させて使用することが多いが、シートの紙粉除去のためにバイアスを印加することも可能である。
【００２９】
次に上記電子写真装置の引き出しユニット構成を示す。図２は、複写装置本体１００の外装パネル等を取り付けていない状態における引き出しユニット５００の構成を示す斜視図である。図２において引き出しユニット５００は、右スライドレール５０１及び左スライドレール（図示せず）により複写装置本体１００に対して引き出し、収納自在に構成してある。スライドレール左は、図２では図示を省略してあるが、スライドレール右５０１と対称の位置に平行に設けてある。引き出しユニット５００にはレジストローラ対４９、２次転写装置２２、搬送装置２４、定着装置２５、切り換え爪５５等の転写紙搬送関連ユニットが設けてあり、引き出しユニット５００を引き出すことにより転写紙搬送経路が露出する構成となっている。
【００３０】
また、引き出しユニット５００を脱着操作する際に使用する操作レバー５０２が引き出しユニット５００のほぼ中央に設けてある。引き出しユニット５００を複写装置本体１００にセットする際は、図３、図４に示すように、引き出しユニット前側板５０４に設けた嵌合穴５０４ａ、５０４ｂ及び後側板５０５に設けた嵌合穴（図示せず）と複写装置本体１００に設けた嵌合ピン１０１ａ〜１００ｄがそれぞれ嵌合することにより位置決めされる。
【００３１】
次に、引き出しユニット５００を操作する際のアシスト機構について説明する。図５において、引き出し操作レバー５０２の支軸５０３は引き出しユニット前側板５０４と後側板５０５を連通するように設けてあり、後端に設けたロック部材５０６が本体後側板に設けた嵌合穴（図示せず）と嵌合することにより、複写装置本体１００と引き出しユニット５００を脱着方向に対しロックしている。また、操作レバー支軸５０３は引き出しユニット５００に対して前後方向に一定のストロークでスライドする構成となっている。
【００３２】
引き出しユニット５００に設けたリンクレバー５０７は支点５０７ａを中心に回転し、操作レバー支軸５０３側の部位５０７ｂが操作レバー支軸５０３を図の手前方向へスライドさせ、突起５０３ａに関して操作レバー支軸５０３と反対側の部位５０７ｃが反対方向へ回動し、該部位５０７ｃの端部にピン５０７ｄで回動可能に取り付けたスライドレバー５０８が後側板５０５よりも装置本体１００の後側板側へ突出し、後側板に当接する動作をする。すなわちリンク５０７の作用点は、図示していない本体後側板であり、リンク５０７を動作させ、スライドレバー５０８の先端が本体後側板に突き当たった時の反作用により、引き出しユニット５００が手前に引き出される構成となっている。
【００３３】
リンク５０７の支点５０７ａからのアーム比を、力点側：作用点側＝２：１とすれば（力点側は突起５０３ａ側の部位５０７ｂ側を言い、作用点側は複写装置本体１００の本体後側板側となる部位５０７ｃ側を言う。）、操作レバー５０２を操作して引き抜く時の操作力は、引き出しユニット５００を引き抜く際の引き抜き摺動抵抗の１／２に低減できる。引き抜き時の摺動抵抗は、嵌合穴５０４ａ、５０４ｂと嵌合ピン１０１ａ〜１０１ｄの嵌合が外れると、それ以降はスライドレール５０１のみの抵抗となって軽くなる。そのため、リンク５０７の作用点の動作距離は嵌合穴５０４ａ、５０４ｂの嵌合距離だけあればよい。その場合、操作レバー支軸５０３のスライドストロークはアーム比より自ずと嵌合距離の２倍と決まってくる。
【図面の簡単な説明】
【００３４】
【図１】本発明の実施対象となるタンデム型間接転写方式の複写装置の概略断面図
【図２】複写装置本体の外装パネル等を取り付けていない状態での引き出しユニットの構成を示す斜視図
【図３】引き出しユニットを複写装置本体にセットした状態の斜視図
【図４】引き出しユニットを複写装置本体にセットした状態の斜視図
【図５】引き出しユニットの斜視図
【図６】同要部拡大斜視図
【符号の説明】
【００３５】
１０：中間転写体
１４、１５、１６：支持ローラ
１７：中間転写体クリーニング装置
１８：画像形成手段
２０：タンデム作像装置
２１：露光装置
２２：２次転写装置
２３：ローラ
２４：２次転写ベルト
２５：定着装置
２６：定着ベルト
２７：加圧ローラ
２８：シート反転装置
３０：原稿台
３２：コンタクトガラス
３３：第１走行体
３４：第２走行体
３５：結像レンズ
３６：読み取りセンサ
４０：感光体
４２：給紙ローラ
４３：ペーパーバンク
４４：給紙カセット
４５：分離ローラ
４６：給紙路
４７：搬送ローラ
４８：給紙路
４９：レジストローラ
５１：手差しトレイ
５０：給紙ローラ
５２：分離ローラ
５３：手差し給紙路
５５：切換爪
５６：排出ローラ
５７：排紙トレイ
１００：複写装置本体
１０１ａ〜１００ｄ：嵌合ピン
２００：給紙テーブル
３００：スキャナ
４００：原稿自動搬送装置（ＡＤＦ）
５００：引き出しユニット
５０１：右スライドレール
５０２：操作レバー
５０４：引き出しユニットの前側板
５０４ａ、５０４ｂ：嵌合穴
５０５：後側板
５０３：引き出し操作レバーの支軸
５０３ａ：同突起
５０６：ロック部材
５０７：リンクレバー
５０７ａ：同支点
５０７ｂ：同操作レバー支軸側の部位
５０７ｃ：同操作レバー支軸と反対側の部位
５０７ｄ：同ピン
５０８：スライドレバー
【図１】
2005091569.tif 000003
【図２】
2005091569.tif 000004
【図３】
2005091569.tif 000005
【図４】
2005091569.tif 000006
【図５】
2005091569.tif 000007
【図６】
2005091569.tif 000008